(57)【要約】【課題】  洗面カウンター及び鏡の設置スペースを小さくできて延いては洗面化粧台の設置スペースを小さくでき、尚且つ２人同時に洗面カウンターの前方に立って洗面行為を行うことができ、しかもこの洗面行為を行う際には、各使用者は同時に使用する使用者に当たることなくて使い勝手が良い洗面化粧台の設置構造を提供する。【解決手段】  上面に洗面ボウル１２を一つだけ設けた洗面カウンター７を該洗面カウンター７の平面視隣接する２つの辺７ａ、７ｂを部屋の直角な入隅部２を形成する両壁面２ａ、２ｂの夫々に沿わせて配設する。洗面カウンター７よりも上方に前記部屋の入隅部２を形成する両壁面２ａ、２ｂの夫々に沿う鏡２２ａ、２２ｂを配設する。【選択図】      図１
2005095430.tif 000002
【特許請求の範囲】
【請求項１】
上面に洗面ボウルを一つだけ設けた洗面カウンターを該洗面カウンターの平面視隣接する２つの辺を部屋の直角な入隅部を形成する両壁面の夫々に沿わせて配設し、洗面カウンターよりも上方に前記部屋の入隅部を形成する両壁面の夫々に沿う鏡を配設してなることを特徴とする洗面化粧台の設置構造。
【請求項２】
内部が収納部となったキャビネットの上面に上記洗面カウンターを設けて平面視略矩形状の洗面台を形成し、キャビネットの平面視隣接する２つの辺を上記入隅部を形成する両壁面の夫々に沿わせて配設し、キャビネットの前記隣接する２つの辺の夫々に対向する辺側の外側面の夫々に前記収納部に連通する開口部を形成してなることを特徴とする請求項１記載の洗面化粧台の設置構造。
【請求項３】
上記洗面カウンターの上面に上記部屋の入隅部を形成する両壁面の夫々に沿うバックガードを立設してなることを特徴とする請求項１又は請求項２記載の洗面化粧台の設置構造。
【請求項４】
上記洗面カウンターに洗面ボウル用の給水栓を設け、該給水栓は、洗面カウンターに取付けた水栓本体と、該水栓本体に回動自在に取付けたネック部と、該ネック部に回動自在に取付けられて前記ネック部を介して水栓本体から供給された水を吐出する吐出口を有するヘッド部と、を具備し、前記ネック部の回動面とヘッド部の回動面とを交差させてなることを特徴とする請求項１〜３のいずれかに記載の洗面化粧台の設置構造。
【発明の詳細な説明】
【技術分野】
【０００１】
本発明は洗面化粧台の設置構造に関するものである。
【背景技術】
【０００２】
従来から、図５に示すような洗面化粧台の設置構造が知られている。この洗面化粧台３０は、図に示すように一つの洗面ボウル３１を備えた平面視略直角三角形状の洗面カウンター３２を該洗面カウンター３２の挟角が直角となった隣接する２辺の夫々を部屋の入隅部２を形成する両壁面２ａ、２ｂに沿わせて配設し、洗面カウンター３２よりも上方に位置する部屋の入隅部２に１枚の鏡３３を前記平面視略三角形状の洗面カウンター３２の斜辺と平行に配設することで設置されている。
【０００３】
しかしながらこのものは洗面カウンター３２の設置スペースを小さくできるものの、使用頻度が高い朝の混雑時等に、洗面カウンター３２の前に２人の使用者が並んで立って、顔を洗ったり、歯を磨く等の洗面行為を２人同時に行う場合には、洗面カウンター３２の使用者が立つ側の幅が充分ではなく、また１枚の鏡３３が平面視略直角三角形状の洗面カウンター３２の斜辺に対向して設けてあるだけなので、使用者は隣に並ぶ使用者に当たってしまって使い勝手が悪かった。ここで洗面カウンター３２の斜辺の長さ及び鏡３３を大きくすることで、使い勝手良く２人同時に洗面カウンター３２を使用することは可能となるものの、この場合、洗面カウンター３２や鏡３３を設置するためのスペースが大きくなってしまい、延いては洗面化粧台３０の設置スペースが大きくなってしまう。
【０００４】
また上記図５に示す洗面化粧台３０とは別に図６に示すような洗面化粧台の設置構造も知られている。この洗面化粧台３４は、図に示すように上面に２つの洗面ボウル３５、３５を備えた洗面カウンター３６を該洗面カウンター３６の一辺が部屋の壁面に沿うように配設し、洗面カウンター３６よりも上方位置に前記洗面ボウル３５、３５に対応する位置に２枚の鏡３３、３３を壁面に沿って夫々配設することで設置されたものであって、このような設置構造により、朝の混雑時等には、洗面化粧台３４の両洗面ボウル３５、３５の夫々の前方に２人の使用者が並んで立って、各使用者が各洗面ボウル３５、３５と、これに対応する鏡３３、３３を利用して洗面行為を行うことを可能としている（例えば特許文献１）。
【０００５】
しかし上記特許文献１に示す洗面化粧台の設置構造にあっては、各使用者が隣に並ぶ使用者に当たることなく洗面行為を行えるものの、洗面カウンター３６の幅が大きくなってしまい、これにより洗面カウンター３６を設置するためのスペースが大きくなるという問題がある。ここで洗面カウンター３６の幅を小さくして洗面カウンター３６の設置スペースを小さくすることも考えられるが、この場合、２人の使用者が同時に洗面カウンター３６の前方に立って洗面行為を行うには洗面カウンター３６の幅が充分ではなく、使用者は隣に立つ使用者に当たってしまい、洗面化粧台３４を使い勝手良く使用できない。
【特許文献１】特開平５−３４４９１６号公報
【発明の開示】
【発明が解決しようとする課題】
【０００６】
本発明は上記の従来の問題点に鑑みて発明したものであって、洗面カウンター及び鏡の設置スペースを小さくできて延いては洗面化粧台の設置スペースを小さくでき、尚且つ２人同時に洗面カウンターの前方に立って洗面行為を行うことができ、しかもこの洗面行為を行う際には、各使用者は同時に使用する使用者に当たることなくて使い勝手が良い洗面化粧台の設置構造を提供することを課題とするものである。
【課題を解決するための手段】
【０００７】
上記課題を解決するために本発明に係る洗面化粧台の設置構造は、上面に洗面ボウル１２を一つだけ設けた洗面カウンター７を該洗面カウンター７の平面視隣接する２つの辺７ａ、７ｂを部屋の直角な入隅部２を形成する両壁面２ａ、２ｂの夫々に沿わせて配設し、洗面カウンター７よりも上方に前記部屋の入隅部２を形成する両壁面２ａ、２ｂの夫々に沿う鏡２２ａ、２２ｂを配設してなることを特徴とする。
【０００８】
上記洗面化粧台の取付け構造により、朝の混雑時等においては、２人の使用者２４ａ、２４ｂが両鏡２２ａ、２２ｂの夫々に対向して立ち、この状態で各使用者２４ａ、２４ｂは対応する鏡２２ａ、２２ｂや、一つの洗面ボウル１２を使用して２人同時に洗面行為を行うことが可能となり、この場合、各使用者２４ａ、２４ｂは２つの鏡２２ａ、２２ｂの夫々に対向して立って、洗面行為を行うことができるため、各使用者２４ａ、２４ｂは他の使用者に当たることなく洗面化粧台１を２人同時に使用することができて使い勝手が良くなる。さらにはこの場合、洗面カウンター７の上面には使用者一人分の容積を有する洗面ボウル１２を一つだけ設けるだけで良いため、洗面カウンター７の平面視の面積を小さくすることができ、洗面カウンター７の設置スペースを小さくでき、さらには両鏡２２ａ、２２ｂの夫々は両壁面２ａ、２ｂの夫々に沿って配設されているため、鏡２２ａ、２２ｂを設置するためのスペースも小さくでき、延いては洗面化粧台１の設置スペースを小さくできる。
【０００９】
また請求項２は請求項１において、内部が収納部５となったキャビネット６の上面に上記洗面カウンター７を設けて平面視略矩形状の洗面台３を形成し、キャビネット６の平面視隣接する２つの辺６ａ、６ｂを上記入隅部２を形成する両壁面２ａ、２ｂの夫々に沿わせて配設し、キャビネット６の前記隣接する２つの辺６ａ、６ｂの夫々に対向する辺６ｃ、６ｄ側の外側面６ｅ、６ｆの夫々に前記収納部５に連通する開口部９ａ、９ｂを形成してなることを特徴とする。
【００１０】
このようにキャビネット６の両外側面６ｅ、６ｆの夫々に収納部５に連通する開口部９ａ、９ｂを形成することで、収納部５を有するキャビネット６を部屋の直角な入隅部２に設置することが可能となり、しかもこの場合、キャビネット６の両外側面６ｅ、６ｆのどちら側からでも収納部５への物の出し入れを行うことができてキャビネット６の収納部５の使い勝手が良くなる。
【００１１】
また請求項３は請求項１又は請求項２において、上記洗面カウンター７の上面に上記部屋の入隅部２を形成する両壁面２ａ、２ｂの夫々に沿うバックガード１３ａ、１３ｂを立設してなることを特徴とする。
【００１２】
このように洗面カウンター７の上面に両壁面２ａ、２ｂの夫々に沿うバックガード１３ａ、１３ｂを立設することで、洗面カウンター７で使用した水が壁面２ａ、２ｂ側に流れ出ることが無くなり、バックガード１３ａ、１３ｂにより両壁面２ａ、２ｂが水に侵されることを防止できる。
【００１３】
また請求項４は請求項１〜３のいずれかにおいて、上記洗面カウンター７に洗面ボウル１２用の給水栓１４を設け、該給水栓１４は、洗面カウンター７に取付けた水栓本体１６と、該水栓本体１６に回動自在に取付けたネック部１７と、該ネック部１７に回動自在に取付けられてネック部１７を介して水栓本体１６から供給された水を吐出する吐出口１９を有するヘッド部１８と、を具備し、前記ネック部１７の回動面とヘッド部１８の回動面とを交差させてなることを特徴とする。
【００１４】
このように、洗面カウンター７の上面に給水栓１４を設けることで、洗面台３を２人同時に使用する際に給水栓１４を両使用者２４ａ、２４ｂで共用することができ、これにより洗面化粧台１のコストを削減できる。さらにはこの給水栓１４のヘッド部１８の回動面と、ネック部１７の回動面とが交差しているため、各使用者２４ａ、２４ｂはヘッド部１８の回動角度や、ネック部１７の回動角度を調節して、吐出口１９の向きを変更することができ、これにより洗面カウンター１に一つだけ給水栓１４を設けたものにも関わらず、該給水栓１４を各使用者２４ａ、２４ｂにとって使い勝手良く使用できる。
【発明の効果】
【００１５】
本発明では、洗面カウンター及び鏡の設置スペースを小さくできて延いては洗面化粧台の設置スペースを小さくでき、尚且つ２人同時に洗面カウンターの前方に立って洗面行為を行うことができ、しかもこの洗面行為を行う際には、各使用者は同時に使用する使用者に当たることなくて使い勝手を良くできる。
【発明を実施するための最良の形態】
【００１６】
以下本発明を添付図面に示す実施形態に基いて説明する。図１は本実施形態に用いられる洗面化粧台１を部屋の直角な入隅部２に設置した斜視図であり、部屋の入隅部２は両壁面２ａ、２ｂにより形成されている。この洗面化粧台１は、平面視略矩形状（詳しくは略正方形状）の洗面台３と該洗面台３とは別体のミラーキャビネット４とからなり、以下洗面台３、ミラーキャビネット４の構成を順に説明する。
【００１７】
洗面台３は図２に示すように内部が収納部５となったキャビネット６と、キャビネット６の上面に設けた洗面カウンター７とからなる。
【００１８】
キャビネット６は平面視矩形状（詳しくは正方形状）であり、平面視挟角が直角となった隣接する２つの辺６ａ、６ｂと、これら直角に隣接する２つの辺６ａ、６ｂの夫々に対向する２つの対向辺６ｃ、６ｄを有している。ここで上記キャビネット６の説明に用いた平面視略矩形状とは、本実施形態のように両対向辺６ｃ、６ｄによって形成されるコーナー部８を平面視直角に形成し、平面視矩形状に形成したもの、又平面視矩形状に形成したキャビネット６の前記コーナー部８を円弧状に形成したもの、又平面視矩形状に形成したキャビネット６の前記コーナー部８を面取りしたものの全てを含むものとする。キャビネット６の前記一方の対向辺６ｃ側の外側面６ｅと、他方の対向辺６ｄ側の外側面６ｆの夫々には開口部９ａ、９ｂを形成してあり、両開口部９ａ、９ｂの夫々は前記キャビネット６の内部に形成したキャビネット６用の収納部５に連通している。また両開口部９ａ、９ｂの夫々には夫々の開口部９ａ、９ｂを開閉自在に閉塞する扉１０ａ、１０ｂを設けてあり、両扉１０ａ、１０ｂの夫々は開口部９ａ、９ｂの部屋の壁面２ａ、２ｂ側の端部を回動軸として図２の矢印に示すように回動自在に取付けられている。
【００１９】
上記キャビネット６の上面に一体に設けてある洗面カウンター７は平面視略矩形状（詳しくは正方形状）に形成されており、平面視挟角が直角となった隣接する２つの辺７ａ、７ｂと、これら直角に隣接する２つの辺７ａ、７ｂの夫々に対向する２つの対向辺７ｃ、７ｄを有している。ここで上記洗面カウンター７の説明に用いた平面視略矩形状とは、本実施形態のように両対向辺７、７ｄによって形成されるコーナー部１１を平面視直角に形成し、平面視矩形状に形成したもの、又平面視矩形状の洗面カウンター７の前記コーナー部１１を円弧状に形成したもの、又平面視矩形状の洗面カウンター７の前記コーナー部１１を面取りしたものの全てを含むものとする。この洗面カウンター７の上面には洗面ボウル１２を一つだけ設けてあり、また洗面カウンター７の上面の２つの辺７ａ、７ｂの夫々にはバックガード１３ａ、１３ｂを立設している。ここで両バックガード１３ａ、１３ｂは辺７ａ、７ｂの全長に亘って設けてあり連続しているものとする。
【００２０】
また洗面カウンター７の上面には洗面ボウル１２用の給水栓１４を一つだけ設けてあり、該給水栓１４は洗面カウンター７の上面における２つの辺７ａ、７ｂにより形成されるコーナー部１５に配設されている。この給水栓１４は図３に示すように、洗面カウンター７に設けた水栓本体１６と、基端部を前記水栓本体１６の洗面カウンター７の上面から上方に突出する部分に回動自在に取付けたネック部１７と、基端部を前記ネック部１７の先端部に回動自在に取付けたヘッド部１８とからなり、水栓本体１６は図示しない給水管に接続してある。ここでネック部１７は水栓本体１６から上方に突出した後、その先端が側方に曲げられており、またヘッド部１８の先端部には前記ネック部１７を介して水栓本体１６から供給された水を吐出する吐出口１９を設けている。そしてネック部１７は水平面内で図３矢印イに示す方向に回動自在となっており、またヘッド部１８は垂直面（又は垂直面よりもやや傾斜した略垂直面であっても良い）内で矢印ロに示す方向に回動自在となっており、つまりネック部１７の回動面とヘッド部１８の回動面は交差している。なお図中２０は前記吐出口１９から吐水するか否かを切り換える、又は吐出口１９からの吐水量を調節するための水栓本体１６に設けた操作部である。
【００２１】
上記洗面台３の洗面カウンター７の上方に配設されるミラーキャビネット４は図１に示すように収納部２３を有しており、洗面カウンター７の２つの辺７ａ、７ｂに沿う平面視Ｌ字状のミラーキャビネット本体２１で主体が構成されている。このミラーキャビネット本体２１のコーナーを挟んだ両側の前面（部屋側の面）の夫々にはコーナー側の端部を除く全ての部分を覆うように平板状の鏡２２ａ、２２ｂを設けてあり、またこのミラーキャビネット本体２１のコーナーを挟んだ両側の前面におけるコーナー側の端部にはトレイや棚などからなる前記ミラーキャビネット用の収納部２３が上下方向に複数設けてある。またミラーキャビネット本体２１のコーナーの上端部には照明器具２５を一つだけ設けてある。
【００２２】
上記洗面化粧台１を部屋の直角な入隅部２に設置する場合は、洗面台３を、洗面カウンター７の２つの辺７ａ、７ｂの夫々、キャビネット６の２つの辺６ａ、６ｂの夫々、が前記部屋の両壁面２ａ、２ｂの夫々に沿うように床面に載置すると共に、ミラーキャビネット４を、ミラーキャビネット本体２１のコーナーを挟む両側の背面（壁面２ａ、２ｂ側の面）の夫々が前記両壁面２ａ、２ｂの夫々に沿うように配設する。これにより両鏡２２ａ、２２ｂの夫々は両壁面２ａ、２ｂの夫々に沿い、且つ洗面カウンター７の２つの辺７ｃ、７ｄの夫々に対向し、またキャビネット６の収納部５は両開口部９ａ、９ｂの夫々を介して部屋側に開口することとなる。ここで、前記洗面カウンター７の２つの辺７ａ、７ｂと、これら２つの辺７ａ、７ｂに対応するキャビネット６の２つの辺６ａ、６ｂと、ミラーキャビネット本体２１のコーナーを挟む両側の背面と、両バックガード１３ａ、１３ｂの背面（壁面２ａ、２ｂ側の面）と、は両壁面２ａ、２ｂの夫々に沿って近接して配設されているものとする。またミラーキャビネット本体２１の下端は洗面カウンター７の上面よりもやや上方に位置しており、両壁面２ａ、２ｂのミラーキャビネット本体２１の下端と洗面カウンター７の上面との間の部分の略全部はバックガード１３ａ、１３ｂによって覆われている。
【００２３】
ここで、上記のようにキャビネット６の外側面６ｅと、外側面６ｆの夫々に収納部５に連通する開口部９ａ、９ｂを形成することで、キャビネット６の内部に形成した収納部５は部屋側に開口することとなり、収納部５を有するキャビネット６を直角であれば部屋のどのような入隅部２にでも設置することが可能となって、しかもこの場合、洗面カウンター７の両対向辺７ｃ、７ｄのどちら側からでも収納部５への物の出し入れを行うことが可能となり、キャビネット６の収納部５の使い勝手も良くなる。更に言えば、例えば狭い部屋等において洗濯機や収納棚などの洗面化粧台１とは別の設置物をキャビネット６の両対向辺６ｃ、６ｄ側のどちらか一方側にだけ選択的に近づけて設置し、これにより洗面台３の設置物を設置した側に使用者が洗面行為を行える程度の狭いスペースを形成し、洗面台３の設置物を設置していない側に広いスペースを形成した場合、前記洗面台３の広いスペースの側から収納部５内の物を簡単に出し入れするといったことが可能となり、洗面化粧台１を設置する部屋のレイアウトの自由度が増し、またこの部屋のスペースを広くすることもできる。
【００２４】
また上記のように洗面カウンター７の上面に部屋の両壁面２ａ、２ｂの夫々に沿うバックガード１３ａ、１３ｂを立設することで、洗面カウンター７で使用した水が両壁面２ａ、２ｂ側に流れ出ることが無くなり、壁面２ａ、２ｂが水に侵されることを防止できる。
【００２５】
このように設置された上記洗面化粧台１を朝の混雑時等において２人同時に使用する場合は、図４に示すように一方の使用者２４ａが一方の鏡２２ａ（洗面カウンター７の２つの辺７ａ、７ｂのうち一方の辺７ａ）に対向して立ち、他方の使用者が２４ｂが他方の鏡２２ｂ（洗面カウンターの２つの辺７ａ、７ｂのうち他方の辺７ｂ）に対向して立ち、この状態で各使用者２４ａ、２４ｂが対応する鏡２２ａ、２２ｂや、前述した給水栓１４、洗面ボウル１２を使用して洗面行為を行う。この場合、両使用者２４ａ、２４ｂの夫々は２つの鏡２２ａ、２２ｂの夫々に対向して立って洗面行為を行うことができるため、各使用者２４ａ、２４ｂは他の使用者に当たることなく洗面化粧台１を２人同時に使用することができて使い勝手が良くなる。しかも洗面カウンター７の上面には一人の使用者が使用するに充分な容積を有する洗面ボウル１２を一つ設けるだけで良く、加えて洗面カウンター７の各辺７ａ、７ｂ、７ｃ、７ｄ、及びキャビネット６の各辺６ａ、６ｂ、６ｃ、６ｄの長さを一人の使用者が洗面行為を行うのに充分な程度の長さとなるように洗面台３を形成するだけで良く、これらにより洗面台３の設置スペースを小さくでき、さらには両鏡２２ａ、２２ｂの夫々は両壁面２ａ、２ｂの夫々に沿って配設されているため、鏡２２ａ、２２ｂを設置するためのスペースも小さくでき、延いては洗面化粧台１の設置スペースを小さくできる。
【００２６】
またこの場合、洗面カウンター７の上面に給水栓１４を設け、洗面台３を２人同時に使用する際に給水栓１４を両使用者２４ａ、２４ｂで共用することで、洗面化粧台１のコストを削減することができ、また特に本実施形態では給水栓１４を洗面カウンター７の上面のコーナー部１５に設けてあるので、該給水栓１４を両使用者２４ａ、２４ｂ共に使用し易い距離に配することができ、使い勝手が良くなる。さらにはこの給水栓１４は前述したようにそのヘッド部１８の回動面と、ネック部１７の回動面とが交差しているため、各使用者２４ａ、２４ｂはヘッド部１８の回動角度や、ネック部１７の回動角度を調節して、吐出口１９の向きを変更することができ、これにより洗面カウンター１に一つだけ給水栓１４を設けたものにも関わらず、該給水栓１４を各使用者２４ａ、２４ｂにとって使い易いように給水栓１５の吐出口１９から水を吐出することができて給水栓１４の使い勝手が良くなる。
【００２７】
なお本実施形態では洗面台３とミラーキャビネット４は別体としてあるが、勿論一体であっても良いものとする。またミラーキャビネット４の収納部２３としては上記のものに限定されるものではなく、例えば図示は省略するが、上記ミラーキャビネット本体２１のコーナーを挟んだ両側の前面に前方に開口する収納部を設けると共に、両収納部の夫々の前方開口部に開閉自在の扉を設け、両扉の夫々の前面に扉の前面全部を覆う鏡を設け、扉と共に鏡を開閉自在に設けても良いものとする。
【図面の簡単な説明】
【００２８】
【図１】本発明の実施形態の一例を示し、洗面化粧台を部屋の入隅部に設置した状態を示す斜視図である。
【図２】同上の洗面台を部屋の入隅部に載置した状態を示す斜視図である。
【図３】同上の給水栓の拡大斜視図である。
【図４】同上の洗面化粧台を２人の使用者が同時に使用している状態を示す平面図である。
【図５】従来の洗面化粧台の設置構造の一例を示す斜視図である。
【図６】従来の洗面化粧台の設置構造の他例を示す斜視図である。
【符号の説明】
【００２９】
１  洗面化粧台
２  入隅部
２ａ、２ｂ  壁面
３  洗面台
６  キャビネット
６ａ〜ｄ  辺
６ｅ、６ｆ  外側面
７  洗面カウンター
７ａ、７ｂ  辺
１２  洗面ボウル
１３ａ、１３ｂ  バックガード
１４  給水栓
１６  水栓本体
１７  ネック部
１８  ヘッド部
１９  吐出口
２２ａ、２２ｂ  鏡
２４ａ、２４ｂ  使用者
【図１】
2005095430.tif 000003
【図２】
2005095430.tif 000004
【図３】
2005095430.tif 000005
【図４】
2005095430.tif 000006
【図５】
2005095430.tif 000007
【図６】
2005095430.tif 000008